(57)【要約】【課題】施工期間が短く、本体価格と施工費用を抑え、デザインの自由度が高いフェンスを提供する。【解決手段】フェンス１０は、骨格１２と棒状部材１４，１６，１８，２０，２２とを有し、骨格１２は、柱２４，２６と、柱２４，２６で固定された梁３０，３２，３４，３６，３８とを備える。棒状部材１４，１６は、梁３０，３２，３４が貫通する孔を備え、棒状部材１８，２０，２２は、梁３４，３６，３８が貫通する孔を備える。棒状部材１４，１６が梁３０，３２，３４に沿って可動な状態で、棒状部材１８，２０，２２が梁３４，３６，３８に沿って可動な状態で、骨格１２が設置された後に、梁に沿った任意の位置で、棒状部材１４，１６が梁３０，３２，３４に、棒状部材１８，２０，２２が梁３４，３６，３８にそれぞれ固定されている。【選択図】図１
0003165110.tif 000002
【実用新案登録請求の範囲】
【請求項１】
骨格と棒状部材とを有するフェンスであって、
前記骨格は、少なくとも２本の柱と、前記２本の柱で固定された梁とを備え、
前記棒状部材は、前記梁が貫通する孔を備え、
前記棒状部材が前記梁に沿って可動な状態で前記骨格が設置された後に、前記梁に沿った任意の位置で、前記棒状部材が前記梁に固定されたフェンス。
【請求項２】
骨格と棒状部材とを有するフェンスであって、
前記骨格は、少なくとも２本の柱と、前記２本の柱の間に固定された梁とを備え、
前記棒状部材は、前記梁が貫通する孔を備えると共に、前記孔を介して分割可能で、
前記骨格が設置された後に、分割された前記棒状部材が前記梁に沿った任意の位置で接合されることによって、前記棒状部材が前記梁に固定されたフェンス。
【請求項３】
少なくとも前記梁および前記棒状部材は、共通の有機溶剤に可溶な材料からなり、
前記有機溶剤によって、前記棒状部材が前記梁に溶着固定された請求項１または２に記載のフェンス。
【請求項４】
少なくとも前記梁および前記棒状部材は、ポリスチレン樹脂からなり、トルエンによって、前記棒状部材が前記梁に溶着固定された請求項３に記載のフェンス。
【考案の詳細な説明】
【技術分野】
【０００１】
本考案は、敷地の外周や隣地との境界等に設置するフェンスに関し、より詳しくは、フェンスの骨格を施工した後からフェンスの部材が骨格に追加できる、デザインの自由度が高いフェンスに関するものである。
【背景技術】
【０００２】
敷地の外周や隣地との境界等に設置するフェンスとして、柱、梁、および棒状の部材を組み合わせて作製されるフェンスがある。このようなフェンスの現場での施工を簡単にするため、工場で予め柱、梁、および棒状の部材を組み合わせてフェンスユニットを作製し、施工現場では、これらのフェンスユニットをつなぎ合わせてフェンスの施工を行っている。
【０００３】
しかしながら、上記の従来のフェンスでは、製品化されたフェンスユニットの中から選択してフェンスの施工を行うため、フェンスのデザインの自由度が限られていた。フェンスをオーダーメイドにすればデザインの自由度は高くなるが、フェンスの施工期間が長くなる上、フェンス価格と施工費用の上昇を招いてしまう。
【考案の概要】
【考案が解決しようとする課題】
【０００４】
本考案はこのような事情に鑑みてなされたものであり、施工期間が短く、本体価格と施工費用を抑え、デザインの自由度が高いフェンスを提供することを目的とする。
【課題を解決するための手段】
【０００５】
本考案の第１態様のフェンスは、骨格と棒状部材とを有するフェンスであって、骨格は、少なくとも２本の柱と、２本の柱で固定された梁とを備え、棒状部材は、梁が貫通する孔を備え、棒状部材が梁に沿って可動な状態で骨格が設置された後に、梁に沿った任意の位置で、棒状部材が梁に固定されている。
【０００６】
本考案の第２態様のフェンスは、骨格と棒状部材とを有するフェンスであって、骨格は、少なくとも２本の柱と、２本の柱の間に固定された梁とを備え、棒状部材は、梁が貫通する孔を備えると共に、孔を介して分割可能で、骨格が設置された後に、分割された棒状部材が梁に沿った任意の位置で接合されることによって、棒状部材が梁に固定されている。
【０００７】
本考案の第１態様および第２態様のフェンスにおいては、少なくとも梁および棒状部材は、共通の有機溶剤に可溶な材料からなり、有機溶剤によって、棒状部材が梁に溶着固定されてもよい。さらに、少なくとも梁および棒状部材は、ポリスチレン樹脂からなり、トルエンによって、棒状部材が梁に溶着固定されることが好ましい。
【考案の効果】
【０００８】
本考案によれば、施工期間が短く、本体価格と施工費用を抑え、デザインの自由度が高いフェンスが提供できる。
【図面の簡単な説明】
【０００９】
【図１】本考案の第１の実施形態に係るフェンス１０の正面図である。
【図２】フェンス１０に用いられる棒状部材の側面図である。
【図３】本考案の第２の実施形態に係るフェンス４０の正面図である。
【図４】フェンス４０に用いられる棒状部材の側面図である。
【考案を実施するための形態】
【００１０】
以下、本考案のフェンスについて、図面を参照しながら各実施形態に基づいて説明する。なお、図面はフェンスおよびその部材を模式的に表したものであり、これらの実際の寸法および寸法比は、図面上の寸法および寸法比と必ずしも一致していない。また、重複説明は適宜省略し、同一部材には同一符号を付与することがある。
【００１１】
（第１の実施形態）
図１は、本実施形態のフェンス１０の正面図である。フェンス１０は、骨格１２と棒状部材１４，１６，１８，２０，２２とを備える。骨格１２は、柱２４，２６と、柱２４，２６で固定された梁３０，３２，３４，３６，３８とを備える。柱２４，２６の形状および材質は特に限定されないが、本実施形態では、柱２４，２６は、四角柱の形状を有し、ポリスチレン樹脂から構成されている。また、柱２４，２６は、それぞれパイプ２４ａ，２６ａを備える。パイプ２４ａ，２６ａは、骨格１２が設置される際に、地中やコンクリート基礎などに埋設される。
【００１２】
また、梁３０，３２，３４，３６，３８の形状および材質は特に限定されないが、本実施形態では、梁３０，３２，３４，３６，３８は、同一の円柱形状を有し、ポリスチレン樹脂から構成されている。本実施形態では、梁３０，３２，３４，３６，３８が２本の柱２４，２６で固定されているが、３本以上の柱で梁が固定されていてもよい。なお、梁の数および棒状部材の数は、特に限定されない。
【００１３】
図２は、棒状部材１４の側面図である。なお、棒状部材１６，１８，２０，２２は棒状部材１４と形状および材質が同じなので、棒状部材１６，１８，２０，２２については、説明を省略する。棒状部材１４の形状および材質は特に限定されないが、本実施形態では、棒状部材１４は、四角柱の形状を有し、ポリスチレン樹脂から構成されている。棒状部材１４は、梁３０，３２，３４がそれぞれ貫通する孔１４ａ，１４ｂ，１４ｃを備える。孔１４ａ，１４ｂ，１４ｃは円柱形状を有しており、孔１４ａ，１４ｂ，１４ｃの内径は、梁３０，３２，３４の外径よりわずかに大きい。このように、孔の断面形状は、梁の断面形状よりわずかに大きく、梁の断面形状と相似する形状であることが好ましい。
【００１４】
フェンス１０の完全施工後には棒状部材１４が梁３０，３２，３４に固定されるが、フェンス１０の施工途中では、棒状部材１４が梁３０，３２，３４に沿って可動である。すなわち、フェンス１０では、棒状部材１４が梁３０，３２，３４に沿って可動な状態で骨格１２が設置された後に、梁３０，３２，３４に沿った任意の位置で、棒状部材１４が梁３０，３２，３４に固定されている。固定方法は、接着剤や両面テープ等による固定、またはビス止めなどの各種固定方法が採用できる。
【００１５】
本実施形態では、棒状部材１４と梁３０，３２，３４は、共通の有機溶剤であるトルエンに可溶なポリスチレン樹脂からなり、トルエンによって、棒状部材１４が梁３０，３２，３４に溶着固定されている。このように、棒状部材と梁が共通の有機溶剤に可溶な材料からなる他の例としては、材料がＡＢＳ樹脂であり、有機溶剤がトルエンである場合等がある。フェンスとしての性能、すなわち、耐久性、加工性、および装飾性等を考慮すれば、棒状部材と梁の材料がポリスチレンであり、トルエンによって棒状部材を梁に溶着固定することが好ましい。
【００１６】
つぎに、図１を参照しながらフェンス１０の作製方法について説明する。まず、棒状部材１４と棒状部材１６を並べ、棒状部材１４と棒状部材１６のフェンスの上になる方の端から２つの孔に、梁３０と梁３２をそれぞれ通す。ついで、棒状部材１８、棒状部材１４、棒状部材２０、棒状部材１６、および棒状部材２２の順番になるように、棒状部材１４，１６，１８，２０，２２を互い違いに並べる。そして、棒状部材１８、棒状部材２０、および棒状部材２２のフェンスの上になる方の端の孔と、棒状部材１４と棒状部材１６のフェンスの下になる方の端の孔の計５つの孔に、梁３４を通す。
【００１７】
その後、棒状部材１８、棒状部材２０、および棒状部材２２のフェンスの下になる方の端から２つの孔に、梁３６と梁３８をそれぞれ通す。ついで、梁３０，３２，３４，３６，３８を柱２４，２６に間に固定する。梁３０，３２，３４，３６，３８の柱２４，２６への固定は、柱２４，２６に設けられた穴（不図示）に接着剤を注入し、梁３０，３２，３４，３６，３８の両端をこれらの穴に差し込むことによって行う。こうして、棒状部材１４，１６が梁３０，３２，３４に沿って可動な状態で、棒状部材１８，２０，２２が梁３４，３６，３８に沿って可動な状態のフェンス１０の半製品が作製される。
【００１８】
そして、このフェンス１０の半製品は、フェンス１０の施工現場に運搬される。その後、施工現場で骨格１２が設置される。より具体的には、パイプ２４ａ，２６ａを地中やコンクリート基礎などに埋設することによって、骨格１２が設置される。このように棒状部材１４，１６が梁３０，３２，３４に沿って可動な状態で、棒状部材１８，２０，２２が梁３４，３６，３８に沿って可動な状態で骨格１２が設置された後、棒状部材１４，１６，１８，２０，２２を適宜動かして、梁３０，３２，３４，３６，３８に沿った任意の位置で、棒状部材１４，１６，１８，２０，２２を梁３０，３２，３４，３６，３８に固定する。こうして、フェンス１０が作製される。
【００１９】
本実施形態のフェンス１０は、施工現場で棒状部材１４，１６，１８，２０，２２の位置決めができるので、施主のデザインの好みを大きく反映させることができる。また、本実施形態のフェンス１０は、完全オーダーメイドのフェンスと比べて、本体価格が抑えられ、施工期間を短くすることができるため施工費用も抑えられる。一方、本実施形態のフェンス１０は、規格品と比べてデザインの自由度が高い。
【００２０】
本実施形態のフェンス１０は、通常、複数個つなげて施工される。この場合、フェンス１０をそのまま並べて施工してもよいし、例えば、合計５つの棒状部材を通した５つの梁を柱２６と他の柱の間に固定することを繰り返して、正面に向かって右方向にフェンスの部材をつなげたフェンス半製品を作製し、それを施工してもよい。なお、異なるデザインのフェンスをつなげて施工してもよい。
【００２１】
（第２の実施形態）
図３は、本実施形態のフェンス４０の正面図である。図４は、本実施形態のフェンスに用いられる棒状部材５０の側面図である。フェンス４０は、棒状部材５０，５２，５４，５６，５８の構造のみが、第１の実施形態のフェンス１０と異なる。棒状部材５０は、梁３０，３２，３４がそれぞれ貫通する孔５０ａ，５０ｂ，５０ｃを備えると共に、孔５０ａ，５０ｂ，５０ｃを介して、つまり孔５０ａ，５０ｂ，５０ｃのところで、２つの棒状部材片５０ｇ，５０ｈに分割可能である。本実施形態では棒状部材５０が２つに分割可能であるが、棒状部材５０が３つ以上に分割可能であってもよい。
【００２２】
棒状部材片５０ｇには、ほぞ５０ｐ，５０ｑが、棒状部材片５０ｈには、ほぞ穴５０ｒ，５０ｓがそれぞれ設けられている。ほぞ５０ｐをほぞ穴５０ｒに、ほぞ５０ｑをほぞ穴５０ｓにそれぞれはめ込むことによって、棒状部材片５０ｇ，５０ｈが接合されて棒状部材５０となる。他の接合手段、例えば、接着剤、両面テープ、ビス、または有機溶剤による溶着を併用して、棒状部材片５０ｇ，５０ｈを接合してもよい。また、棒状部材５０にほぞ５０ｐ，５０ｑとほぞ穴５０ｒ，５０ｓを設けずに、接着剤、両面テープ、ビス、または有機溶剤による溶着等によって、棒状部材片５０ｇ，５０ｈを接合してもよい。
【００２３】
本実施形態のフェンス４０では、骨格１２が設置された後に、分割された棒状部材５０の棒状部材片５０ｇ，５０ｈが、梁３０，３２，３４に沿った任意の位置で接合されることによって、棒状部材５０が梁３０，３２，３４に固定されている。棒状部材５２も同様に、梁３０，３２，３４が貫通する孔を備えると共に、これらの孔を介して分割可能である。骨格１２が設置された後に、分割された棒状部材５２が梁３０，３２，３４に沿った任意の位置で接合されることによって、棒状部材５２が梁３０，３２，３４に固定される。
【００２４】
さらに、棒状部材５４，５６，５８も同様に、梁３４，３６，３８が貫通する孔を備えると共に、これらの孔を介して分割可能である。骨格１２が設置された後に、分割された棒状部材５４，５６，５８が梁３４，３６，３８に沿った任意の位置で接合されることによって、棒状部材５４，５６，５８が梁３４，３６，３８に固定される。
【００２５】
つぎに、図３を参照しながら本実施形態のフェンス４０の作製方法について説明する。まず、梁３０，３２，３４，３６，３８を柱２４，２６の間に固定する。この固定は、柱２４，２６に設けられた穴（不図示）に接着剤を注入し、梁３０，３２，３４，３６，３８の両端をこれらの穴に差し込むことによって行う。こうして、フェンス４０の半製品が作製される。ついで、フェンス４０の半製品が、フェンス４０の施工現場に運搬される。
【００２６】
その後、施工現場で骨格１２が設置される。より具体的には、パイプ２４ａ，２６ａを地中やコンクリート基礎などに埋設することによって、骨格１２が設置される。そして、分割された棒状部材５０，５２を梁３０，３２，３４に沿った任意の位置で接合し、棒状部材５０，５２を梁３０，３２，３４に固定する。また、分割された棒状部材５４，５６，５８を梁３４，３６，３８に沿った任意の位置で接合し、棒状部材５４，５６，５８を梁３４，３６，３８に固定する。こうして、フェンス４０が作製される。
【００２７】
本実施形態のフェンス４０は、施工現場で棒状部材５０，５２，５４，５６，５８の位置決めができるので、施主のデザインの好みを大きく反映させることができる。また、骨格１２の施工のみを業者に依頼し、棒状部材の種類、数量、および配置等を施主が決定して、自ら棒状部材の接合を行ってもよい。こうすれば、楽しみながらフェンスづくりができる。本実施形態のフェンス４０は、完全オーダーメイドのフェンスと比べて、本体価格が抑えられ、施工期間を短くすることができるため施工費用も抑えられる上、規格品と比べてデザインの自由度が高い。
【００２８】
本実施形態のフェンス４０は、通常、複数個つなげて施工される。この場合、フェンス４０をそのまま並べて施工してもよいし、例えば、５つの梁を柱２６と他の柱の間に固定することを繰り返して、正面に向かって右方向にフェンスの部材をつなげたフェンス半製品を作製し、それを施工してもよい。
【００２９】
以上、各実施形態に基づいて本考案のフェンスを説明したが、本考案のフェンスは上記の実施形態に限定されない。例えば、第１の実施形態のフェンス１０に、分割可能な棒状部材５０等を付け加えて、新たなフェンスとしてもよい。また、各実施形態では、それぞれ棒状部材が全て同じ形状を有していたが、棒状部材が異なる形状を有していてもよい。
【符号の説明】
【００３０】
１０，４０…フェンス、  １２…骨格、  １４，１６，１８，２０，２２，５０，５２，５４，５６，５８…棒状部材、  ２４，２６…柱、  ２４ａ，２６ａ…パイプ、  ３０，３２，３４，３６，３８…梁、  ５０ｇ，５０ｈ…棒状部材片、  ５０ｐ，５０ｑ…ほぞ、  ５０ｒ，５０ｓ…ほぞ穴
【図１】
0003165110.tif 000003
【図２】
0003165110.tif 000004
【図３】
0003165110.tif 000005
【図４】
0003165110.tif 000006